(57)【要約】【目的】  乳幼児にとっても遊びやすく、かつ遊びが拡がる組み合わせパズル付き本を提供する。【構成】  各凹部１１０Ａ〜１１０Ｆに１つのピースからなるパズル片３００Ａ〜３００Ｆをそれぞれ平面的に収容したほぼ同一形状をした５枚のパズル台紙１００Ｂ〜１００Ｆと、このパズル台紙１００Ａ〜１００Ｆと同一形状をした表紙１００Ａと、各パズル台紙１００Ｂ〜１００Ｆ及び表紙１００Ａを相互に連結する５つの連結片２００Ａ〜２００Ｅとを備えており、前記連結片２００Ａ〜２００Ｅは、表紙１００Ａ及びパズル台紙１００Ｂ〜１００Ｆより薄い素材からなり、かつこの連結片２００Ａ〜２００Ｅから折り畳み可能となっている。【選択図】      図１
2005270506.tif 000002
【特許請求の範囲】
【請求項１】
凹部に１つのピースからなるパズル片を平面的に収容したほぼ同一形状をした組み合わせ複数のパズル台紙と、このパズル台紙を相互に連結する連結片とを具備しており、前記連結片は、パズル台紙より薄い素材からなり、かつこの連結片から折り畳み可能となっていることを特徴とする組み合わせパズル付き本。
【請求項２】
前記連結片は、パズル台紙からはみ出さないようになっていることを特徴とする請求項１記載の組み合わせパズル付き本。
【請求項３】
前記パズル片は、表裏両面に同じ印刷が施されていることを特徴とする請求項１又は２記載の組み合わせパズル付き本。
【請求項４】
前記パズル片は、表裏両面に異なる印刷が施されていることを特徴とする請求項１又は２記載の組み合わせパズル付き本。
【請求項５】
前記パズル台紙の凹部には、パズル片を収容した状態でも、塞がらない取外用凹部が連設されていることを特徴とする請求項１、２、３又は４記載の組み合わせパズル付き本。
【請求項６】
前記パズル台紙の角部は、アール状に形成されていることを特徴とする請求項１、２、３、４又は５記載の組み合わせパズル付き本。
【請求項７】
前記パズル台紙の凹部の底には、印刷が施されていることを特徴とする請求項１、２、３、４、５又は６記載の組み合わせパズル付き本。
【請求項８】
前記連結片は、複数のパズル台紙を連結すべく一体となっていることを特徴とする請求項１、２、３、４、５、６又は７記載の組み合わせパズル付き本。
【発明の詳細な説明】
【技術分野】
【０００１】
本発明は、乳幼児や学童等のための絵本や小冊子、リーフレット、パンフレット等として用いられる組み合わせパズル付き本に関する。
【背景技術】
【０００２】
この種の絵本としては、特開平０６−２５５２８６号公報（特許文献１）に示されるものがある。これは「凹部に多数のピースからなる組み合わせパズルを平面的に収容したほぼ同一形状をした組み合わせパズル台紙を折目線を介して複数枚連設し折り畳み可能とした」ものである。そしてこれには、「組み合わせパズル台紙の少なくとも一つの端縁に折目線を介して一乃至複数枚の表紙用台紙を連設した」ものや、「組み合わせパズル台紙の凹部の底に印刷が施されたもの」が記載されている。
【０００３】
【特許文献１】特開平０６−２５５２８６号公報
【発明の開示】
【発明が解決しようとする課題】
【０００４】
しかしながら、上述したような組み合わせパズル付き本では、複数枚のピースを組み合わせて初めてパズルが完成するものであり、乳幼児にとっては遊びにくいものとなっていた。また、ピースには表面にのみ絵柄等の印刷が施されているため、ピースそのもので遊ぶことができず、遊びが拡がらないという問題点もあった。
【０００５】
本発明は上記課題を解消するために創案されたものであって、乳幼児にとっても遊びやすく、かつ遊びが拡がる組み合わせパズル付き本を提供することを目的としている。
【課題を解決するための手段】
【０００６】
本発明に係る組み合わせパズル付き本は、凹部に１つのピースからなるパズル片を平面的に収容したほぼ同一形状をした複数のパズル台紙と、このパズル台紙を相互に連結する連結片とを備えており、前記連結片は、パズル台紙より薄い素材からなり、かつこの連結片から折り畳み可能となっている。
【０００７】
前記連結片は、パズル台紙からはみ出さないようになっているのが望ましい。
【０００８】
前記パズル片は、表裏両面に同じ印刷が施されていても、異なる印刷が施されていてもよい。
【０００９】
前記パズル台紙の凹部には、パズル片を収容した状態でも、塞がらない取外用凹部が連設されていることが望ましい。
【００１０】
前記パズル台紙の角部は、アール状に形成されているとよい。
【００１１】
前記パズル台紙の凹部の底には、印刷が施されている。
【発明の効果】
【００１２】
本発明に係る組み合わせパズル付き本は、パズル片が１つのピースからなるものであるので、指先をうまく動かせない乳幼児であっても、パズル片の凹部への着脱を容易に行うことができるので、乳幼児にとってに遊びやすいものとなる。
【発明を実施するための最良の形態】
【００１３】
図１は本発明に係る組み合わせパズル付き本の拡げた状態の概略的平面図、図２は本発明に係る組み合わせパズル付き本の折り畳んだ状態の概略的斜視図、図３は本発明に係る組み合わせパズル付き本を構成するパズル台紙の概略的分解斜視図、図４は本発明に係る組み合わせパズル付き本を構成するパズル台紙と連結片との関係を示す概略的平面図、図５は本発明に係る組み合わせパズル付き本の折り畳み方を示す概略的斜視図、図６は本発明に係る組み合わせパズル付き本を構成するパズル台紙の一例の概略的平面図、図７は他の本発明に係る組み合わせパズル付き本に用いられる連結片の概略的平面図、図８は他の本発明に係る組み合わせパズル付き本の概略的断面図である。
【００１４】
本発明に係る組み合わせパズル付き本は、各凹部１１０Ａ〜１１０Ｆに１つのピースからなるパズル片３００Ａ〜３００Ｆをそれぞれ平面的に収容したほぼ同一形状をした複数（図面では５枚）のパズル台紙１００Ｂ〜１００Ｆと、このパズル台紙１００Ａ〜１００Ｆと同一形状をした表紙１００Ａと、各パズル台紙１００Ｂ〜１００Ｆ及び表紙１００Ａを相互に連結する５つの連結片２００Ａ〜２００Ｅとを備えており、前記連結片２００Ａ〜２００Ｅは、表紙１００Ａ及びパズル台紙１００Ｂ〜１００Ｆより薄い素材からなり、かつこの連結片２００Ａ〜２００Ｅから折り畳み可能となっている。
【００１５】
まず、パズル台紙１００Ｂは、図１に示すように、略正方形状に形成されており、その一面には後述するパズル片３００Ｂに対応した凹部１１０Ｂが形成されている。具体的には、このパズル台紙１００Ｂは、図３に示すように、１枚の厚さが１ｍｍ程度の厚紙１０１Ｂ〜１０３Ｂを３枚積層したもので、一番上側の厚紙１０１Ｂに前記凹部１１０Ｂを打ち抜きで開設している。そして、この凹部１１０Ｂが打ち抜き形成された一番上の厚紙１０１Ｂの裏側に２枚の厚紙１０２Ｂ、１０３Ｂを積層することによって、１つのパズル台紙１００Ｂを構成するのである。
【００１６】
もちろん、他のパズル台紙１００Ｃ〜１００Ｆも、上述したパズル台紙１００Ｂと同様の構成である。なお、凹部１１０Ｂ〜１１０Ｆの形状が、それぞれパズル台紙１００Ｂ〜１００Ｆで異なるものであることはいうまでもない。
【００１７】
このパズル台紙１００Ｂの凹部１１０Ｂが形成された面には、この凹部１１０Ｂに収容されるべきパズル片３００Ｂの印刷と関連性のある印刷が施されている。例えば、パズル片３００Ｂはリスの形状であって、リスの絵柄が印刷されている場合には、『Ｓｑｕｉｒｒｅｌ』及び『りす』の文字が印刷されているという具合である。
【００１８】
また、前記凹部１１０Ｂの底、凹部１１０Ｂから覗く厚紙１０２Ｂには、収容されるべきパズル片３００Ｂに施された印刷と関連のある印刷が施されている。例えば、パズル片３００Ｂがリスの形状であって、ドングリの実を抱えているリスの絵柄が印刷されている場合には、凹部１１０Ｂの底には『だいすきなどんぐりをみつけておおよろこびのりすさん。いただきます！』の文字が印刷されているという具合である。
【００１９】
一方、前記パズル片３００Ｂは、例えば、図１等に示すように、乳幼児の興味を惹きつける動物の形をしている。そして、このパズル片３００Ｂの表裏両面には、同じ印刷が施されている。従って、このパズル片３００Ｂであると、凹部１１０Ｂに収容された状態以外の状態、すなわち凹部１１０Ｂに収容されていない単体のパズル片３００Ｂでも、乳幼児にとっては、あたかも人形のように扱うことができる。
【００２０】
もちろん、他のパズル片３００Ｃ〜３００Ｆも同様の構成である。なお、対応するパズル台紙１００Ｃ〜１００Ｆの凹部１１０Ｃ〜１１０Ｆの形状が、それぞれパズル片３００Ｃ〜３００Ｆで異なるものであることはいうまでもない。
なお、パズル片３００Ｃはカンガルー、パズル片３００Ｄは牛、パズル片３００Ｅはキリン、パズル片は１００Ｆはゾウの形になっており、それにふさわしい絵柄が表裏両面に印刷されている。
【００２１】
また、前記表紙１００Ａは、３枚の厚紙を積層したものであって、凹部１１０Ｂがないパズル台紙１００Ｂと同じ構成になっている。この表紙１００Ａには、例えば、パズル台紙１００Ｂ〜１００Ｆの凹部１１０Ｂ〜１１０Ｆに収容されるパズル片３００Ｂ〜３００Ｆと同様の絵柄等が印刷されている。
【００２２】
なお、前記表紙１００Ａ及びパズル台紙１００Ｂ〜１００Ｆの四隅の角は、乳幼児が怪我をしないように、アール状に形成されている。
【００２３】
一方、表紙１００Ａ及び各パズル台紙１００Ｂ〜１００Ｆを相互に連結する５つの連結片２００Ａ〜２００Ｅは、上から２枚目の厚紙１０２Ａ〜１０２Ｆ上から３枚目の厚紙１０３Ａ〜１０３Ｆとの間に挟み込まれている。この連結片２００Ａ〜２００Ｅとしては、簡単には引きちぎることができず、かつ耐水性を有するポリプロピレン樹脂を主成分とする合成紙（ユポ紙と呼ばれる）が好ましいが、他の素材、例えば、フィルム素材や布等であってもよいことはいうまでもない。
【００２４】
この各連結片２００Ａ〜２００Ｅの長さ寸法は、前記表紙１００Ａ及びパズル台紙１００Ｂ〜１００Ｆの縦辺より若干短く設定されている。また、この連結片２００Ａ〜２００Ｅの幅寸法は、表紙１００Ａ及び各パズル台紙１００Ｂ〜１００Ｆを折り畳むことができるように、各パズル台紙１００Ａ〜１００Ｆの厚さ寸法の２倍以上に設定されている。
【００２５】
このため、各連結片２００Ａ〜２００Ｅは、表紙１００Ａ及び隣接する各パズル台紙１００Ｂ〜１００Ｆを相互に連結した状態では、表紙１００Ａ及びパズル台紙１００Ｂ〜１００Ｆからはみ出さないようになる。すなわち、連結片２００Ａ〜２００Ｅは、表紙１００Ａ及びパズル台紙１００Ｂ〜１００Ｆより薄い紙で構成されているため、表紙１００Ａ及びパズル台紙１００Ｂ〜１００Ｆからはみ出していると、乳幼児が誤って指等を切るおそれがあるが、このように表紙１００Ａ及びパズル台紙１００Ｂ〜１００Ｆからはみ出していないので、そのような事故がおこるおそれはない。
【００２６】
図１に示す組み合わせパズル付き本では、１枚の表紙１００Ａ及び５枚のパズル台紙１００Ｂ〜１００Ｆを５つの連結片２００Ａ〜２００Ｅで連結しているが、パズル台紙は２枚以上であれば、何枚であってもよい。しかし、使用者である乳幼児のことを考えると１０枚以下に抑える方が望ましい。また、このパズル台紙は偶数枚であることが望ましい。なぜならば、パズル台紙が偶数枚であると、図５に示すように、組み合わせパズル付きを蛇腹状に折り畳んだ状態では、凹部が設けられた面がすべて内側を向くので、凹部に収容されたパズル片が脱落しないというメリットがあるからである。
【００２７】
乳幼児は、この組み合わせパズル付き本を拡げて、パズル片３００Ａ〜３００Ｆを凹部１１０Ｂ〜１１０Ｆから取り外したり、収容したりして遊ぶ。その際、すべてのパズル台紙１００Ｂ〜１００Ｆで凹部１１０Ｂ〜１１０Ｆの形状、すなわちパズル片３００Ｂ〜３００Ｆの形状が異なるので、各パズル片３００Ｂ〜３００Ｆは正しい凹部１１０Ｂ〜１１０Ｆにのみ収容されるようになる。この組み合わせパズル付き本は、パズル片３００Ｂ〜３００Ｆは正しいパズル台紙１００Ｂ〜１００Ｆの凹部１１０Ｂ〜１１０Ｆにしか収容できないという制約を有しているので、乳幼児の形状の認識の成長に資することができる。また、ある程度、文字が読めるようになって乳幼児の場合には、パズル台紙１００Ｂ〜１００Ｆに印刷された文字とパズル片３００Ｂ〜３００Ｆとの関係を認識することができるので、文字の認識の成長に資することができる。
【００２８】
また、図６に示すように、パズル台紙１００Ｂの凹部１１０Ｂに、パズル片３００Ｂを収容した状態でも塞がらない取外用凹部１１１Ｂが連設されていると、この取外用凹部１１１Ｂに指先を入れ込むことで、パズル片３００Ｂをパズル台紙１００Ｂの凹部１１０Ｂから簡単に取り外すことができるので、乳幼児にとって取扱い易いというメリットがある。
【００２９】
次に、他の本発明に係る組み合わせパズル付き本について図７及び図８を参照しつつ説明する。
この組み合わせパズル付き本が、上述した組み合わせパズル付き本と相違する点は、連結片５００にある。この組み合わせパズル付き本における連結片５００は、図７に示すように、連結すべき複数のパズル台紙１００Ｂ〜１００Ｆと同じ形状、同じ大きさの複数（図面では６個）の台紙部５１０Ａ〜５１０Ｆと、この台紙部５１０Ａ〜５１０Ｆを相互に連結する連結部５２０Ａ〜５２０Ｅとが一体に形成されたものである。このように連結片５００を一体に形成すると、単にこの連結片５００（詳しくは台紙部５１０Ａ〜５１０Ｆ）に後述する厚紙等を積層することで容易にパズル台紙１００Ｂ等が構成できるというメリットがある。
【００３０】
前記台紙部５１０Ａ〜５１０Ｆは、表紙１００Ａやパズル台紙１００Ｂ〜１００Ｆの一部を構成するものである。また、前記連結部５２０Ａ〜５２０Ｅは、表紙１００Ａや各パズル台紙１００Ｂ〜１００Ｆを相互に連結するものであり、表紙１００Ａやパズル台紙１００Ｂ〜１００Ｆからはみ出さないようになっている。また、この台紙部５１０Ａ〜５１０Ｆの角部はアール状に形成されている。
【００３１】
まず、連結片５００は、図８に示すように、２枚の合成紙５０１、５０２を積層したものである。しかも、２枚の合成紙５０１、５０２のうち、１枚は他の１枚より若干小さく設定されている。これは、２枚の合成紙５０１、５０２を積層した際に、ずれが生じてもそのずれを目立たなくするためである。
【００３２】
このように構成された連結片５００の上面に、第２のコート紙１０５を積層し、さらにこの第２のコート紙１０５の上に２枚の厚紙１０１、１０２を積層し、この２枚の厚紙１０１、１０２のうち、上側の厚紙１０２に第１のコート紙１０６を積層する。また、連結片５００の下面には、１枚の厚紙１０３を積層するとともに、さらにこの厚紙１０３の下面に第３のコート紙１０７を積層する。
【００３３】
なお、前記第１のコート紙１０６、前記２枚の厚紙１０１、１０２及び第２のコート紙１０５には、凹部１１０Ａ〜１１０Ｆを構成する切り込み（図示省略）が形成されている。従って、連結片５００の上面が、凹部１１０Ａ〜１１０Ｆから露出して前記パズル台紙１００Ｂ〜１００Ｆの凹部１１０Ａ〜１１０Ｆの底を構成することになる。この凹部１１０Ａ〜１１０Ｆには、上述した組み合わせパズル付き本における『だいすきなどんぐりをみつけておおよろこびのりすさん。いただきます！』と同様の文字が印刷されていることになる。
【００３４】
第１のコート紙１０６、第２のコート紙１０５及び第３のコート紙１０７を設けたのは、美しい印刷を行うためである。
【００３５】
２枚の厚紙１０１、１０２、１枚の厚紙１０３、第１のコート紙１０６、第２のコート紙１０５及び第３のコート紙１０７は、構成すべき表紙１００Ａやパズル台紙１００Ｂ〜１００Ｆと同じ形状、大きさに設定されているため、連結片５００の各連結部５２０Ａ〜５２０Ｆのみが表紙１００Ａやパズル台紙１００Ｂ〜１００Ｆの間に位置することになる。
【００３６】
また、各パズル片は、積層された２枚の厚紙（２枚の厚紙１０１、１０２に相当）を２枚のコート紙（第１のコート紙１０６と第２のコート紙１０５に相当）で挟み込んだものであり、各コート紙には上述した組み合わせパズル付き本と同様に動物等の絵柄が印刷されている。なお、１つのパズル片が１つの凹部に収容される点は、上述したものと同様である。
【００３７】
前記第３のコート紙１０７には、第１のコート紙１０６や各パズル片に印刷された絵柄と関係のある絵柄、文字等が印刷されたり、ゲーム盤等が印刷される。
【００３８】
また、上述した説明では、パズル片３００Ｂ等は、動物の形をしているものとして説明したが、他の形状であってもよいことはいうまでもない。
【図面の簡単な説明】
【００３９】
【図１】本発明に係る組み合わせパズル付き本の拡げた状態の概略的平面図である。
【図２】本発明に係る組み合わせパズル付き本の折り畳んだ状態の概略的斜視図である。
【図３】本発明に係る組み合わせパズル付き本を構成するパズル台紙の概略的分解斜視図である。
【図４】本発明に係る組み合わせパズル付き本を構成するパズル台紙と連結片との関係を示す概略的平面図である。
【図５】本発明に係る組み合わせパズル付き本の折り畳み方を示す概略的斜視図である。
【図６】本発明に係る組み合わせパズル付き本を構成するパズル台紙の一例の概略的平面図である。
【図７】他の本発明に係る組み合わせパズル付き本に用いられる連結片の概略的平面図である。
【図８】他の本発明に係る組み合わせパズル付き本の概略的断面図である。
【符号の説明】
【００４０】
１００Ａ  表紙
１００Ｂ  パズル台紙
２００Ａ  連結片
３００Ｂ  パズル片
【図１】
2005270506.tif 000003
【図２】
2005270506.tif 000004
【図３】
2005270506.tif 000005
【図４】
2005270506.tif 000006
【図５】
2005270506.tif 000007
【図６】
2005270506.tif 000008
【図７】
2005270506.tif 000009
【図８】
2005270506.tif 000010